(57)【要約】【課題】生産プロセスが簡単かつ構造が単純で、生産効率の良い冷温パッドの提供。【解決手段】水導入区域２１と排水区域２２に水導入ジョイント２１１と排水ジョイント２２１をそれぞれ設け、外部から液体を水導入区域１２に導入して、排水区域２２の液体を外部に導く。水導入区域２１と排水区域２２の他端には、第一経路２４を設け、水導入区域２１の液体を排水区域２２に導入する。水導入区域２１及び排水区域２２の内部に複数の空気室３を設け、各空気室３の間に第二経路２６を設けることで、水導入区域２１と排水区域２２の液体を導入して両区域の隅々へ均一に流動させる。この構造により、冷熱交換装置を用いて、水導入区域２２の液体を加熱又は冷却すると、パッド体２の表面部材に必要な温度を均一に分布させる。生産プロセスが簡単で構造が単純な冷温パッドであり、製造効率が確実に向上し、生産コストを大幅に軽減し、表面に均一な温度を維持できる。【選択図】図２
0003140290.tif 000002
【実用新案登録請求の範囲】
【請求項１】
表面部材と底面部材とからなり、
前記表面部材及び前記底面部材は、プラスチック部材からなる薄い板であり、前記薄い板は少なくとも被覆層と接合層とを含み、前記表面部材と前記底面部材とは高周波加工により前記接合層を一体に融合して接着され、前記表面部材と前記底面部材との間に水導入区域と排水区域とを形成し、前記水導入区域は、一端に入口ジョイントを設け、前記排水区域は、一端に出口ジョイントを設け、外部より提供される液体を前記水導入区域に導入し、前記排水区域の液体を外部に排出するパッド体と、
前記水導入区域及び前記排水区域の他端に設けられ、前記水導入区域の液体を前記排水区域に導く第一経路と、
前記水導入区域及び前記排水区域に設けられ、複数の空気室を形成し、前記水導入区域及び前記排水区域の液体を前記水導入区域及び前記排水区域の隅々へ流動する第二経路と、
を備えることを特徴とする冷温パッド。
【請求項２】
前記表面部材と前記底面部材との前記接合層の間が互いに接合する際に、一部の接合層の部材が圧迫により接合箇所の両側に移動し、凝固して複数の支持部が形成されたことを特徴とする請求項１に記載の冷温パッド。
【請求項３】
前記被覆層には、ラテックスシートを用いることを特徴とする請求項１に記載の冷温パッド。
【請求項４】
前記接合層には、ポリ塩化ビニールを用いることを特徴とする請求項１に記載の冷温パッド。
【請求項５】
前記接合層は、熱可塑性ウレタンエラストマーであることを特徴とする請求項１に記載の冷温パッド。
【考案の詳細な説明】
【技術分野】
【０００１】
本考案は、冷温パッドに関する。
【背景技術】
【０００２】
台湾特許第Ｍ２８８５３２号に開示された冷温パッド体の構造によると、図１に示す通り、パッド体１１の表面において、曲がりくねった細長い管経路１２を設け、管経路１２の一端を入口端とし、他端を出口端とする。入口端と出口端をパッド体１１の側面に設け、管経路１２の外周とパッド体１１表面の向かい側に平面状の外周面１２４を形成し、管経路１２の内周において、外周面１２４に対応した面に肋材１２５を設け、パッド体１１の管経路１２を有する表面にスポンジ部材などの被せ体１３を設け、冷温パッドに平たい表面を形成している。さらに、管経路１２の入口端と出口端において、入口ジョイント１４と出口ジョイント１５をそれぞれ挿入する。冷水や温水などの液体が入口ジョイント１４より管経路１２に流れ込んだ後、出口ジョイント１５より排出し、図示しない冷温装置に戻ることにより、パッド体１１表面の冷熱温度は均一に分布される。
【０００３】
冷温パッド製品は、蒸し暑い真夏の夜において、利用者が安らかに眠ることを助ける。また、寒い冬において、利用者に快適な温かさを与えることができるため、大衆に愛用されている。しかしながら、上述した冷温パッド体の構造には以下の欠点がある。
まず、従来の冷温パッドは、構造が複雑すぎる。上述の冷温パッドの構造は、図１に示す通り、パッド体１１、管経路１２および被せ体１３からなり、パッド体１１はラテックスシートとポリ塩化ビニールであり、管経路１２は屈折自在の柔軟ホースであり、被せ体１３はスポンジ部材である。よって、冷温パッドは多くの素材を使用する。
【０００４】
なお、管経路１２はさらに平面状の外周面１２４を有し、液体温度を素早くパッド体１１に伝達して、パッド体１１と管経路１２の接触面積を大きくし、冷温パッド１１の効果を向上させる。また、管経路１２の外周面１２４に対応する面に肋材１２５を設け、利用者がパッド体１１に横たわったときの圧迫による管経路１２の液体への影響をなくす必要がある。この効果を実現するには、冷温パッド製品を生産するとき、まず管経路１２を必要な形に加工しなければならない。冷温パッドの前作業が増加することから、業者の生産コストを軽減することには限界がある。
【０００５】
また、従来の冷温パッドは、製造工程が多すぎる。冷温パッドの構造は図１に示す通り、主にパッド体１１、管経路１２および被せ層１３の合計三層からなる。パッド体を生産するとき、作業員はまず管経路１２を折り曲げて、パッド体１１の表面に配置した後、引き続きパッド体１１の管経路１２を設ける表面に被せ体１３を敷き、管経路１２に被せて平たい表面にする。すなわち、全生産工程を手で行わなければならない。生産プロセスの自動化ができないため、冷温パッドの生産効率も良くない。さらに、手作業生産のプロセスが多いため、冷温パッドの不良率を増やしてしまい、冷温パッドの製品品質に影響を与える。
【０００６】
また、従来技術によると、冷温パッド体が厚すぎる。上述の冷温パッドは図１に示す通り、管経路１２に液体を流動させ、その温度をパッド体１１に伝達させることにより、パッド体１１の表面温度を維持する。さらに、冷温パッドに柔軟性と弾性を持たせるため、被せ体１３を管経路１２に被せている。その厚みのため、冷温パッドは保管にスペースを要し、運送にも不便である。このように、従来の冷温パッドは保管と携帯に不便である。
【特許文献１】台湾特許第Ｍ２８８５３２号明細書
【考案の開示】
【考案が解決しようとする課題】
【０００７】
本考案の課題は、生産プロセスが簡単かつ構造が単純で、生産効率の向上された冷温パッドを提供することである。
【課題を解決するための手段】
【０００８】
以上の課題を解決するために、本考案の冷温パッドは、表面部材と底面部材を高周波加工により、一体化したパッド体に仕上げたものである。パッド体内部には、水導入区域と排水区域を設ける。パッド体の一端には、水導入ジョイントと排水ジョイントをそれぞれ設け、外部提供の冷水、熱湯などの液体を水導入区域に導入し、排水区域の液体を外部に導く。水導入区域と排水区域の他端を第一経路に接続して、水導入区域の液体を排水区域に導入する。水導入区域および排水区域の内部には、複数の空気室をそれぞれ設ける。各空気室の間に第二経路を設け、水導入区域と排水区域の液体を導入し、第二経路を介して、水導入区域および排水区域の隅々へ均一に流動させる。
【０００９】
（考案の効果）
このように、液体を所定の経路で流動させることにより、パッド体は表面の必要温度を均一に提供できる。本考案の冷温パッドは、単純な構成であり、生産コストを大幅に軽減するほか、パッド体表面部材の表面に均一な温度分布を提供できる。
【００１０】
表面部材と底面部材はそれぞれプラスチック部材から形成した薄い板であり、この薄い板は高周波加工により、パッド体に仕上げることができる。さらにパッド体には、水導入区域と排水区域を仕切るように、水導入区域と排水区域に複数の空気室を設ける。このように、本考案の冷温パッドは生産プロセスが簡単であり、機械生産により冷温パッドの生産効率が向上できる。また、冷温パッド製品の不良率を大幅に軽減して、自動化生産の目標を実現できる。
【００１１】
本考案のパッド体全体は、プラスチック部材より構成するため、重量が軽くて薄く、冷温パッドを畳んで収納、または倉庫に保管することが楽である。冷温パッドを折り畳んで収納すれば、外出時の携帯に便利であり、実用性を向上できる。
【考案を実施するための最良の形態】
【００１２】
以下、本考案による実施例を図面に基づいて説明する。
（第１実施例）
本考案の第１実施例による冷温パッドは、図２に示す通り、パッド体２に水導入区域２１と排水区域２２を設ける。そのうち、水導入区域２１と排水区域２２の一端に入口ジョイント２１１と出口ジョイント２２１をそれぞれ設け、水導入区域２１と排水区域２２の他端に第一経路２４を設ける。水導入ジョイント２１１は、外部より提供される冷水や熱湯などの液体を水導入区域２１に導入する。
【００１３】
第一経路２４は水導入区域２１の液体を排水区域２２に導き、出口ジョイント２２１は排水区域２２の液体を外部に排出する。さらに、水導入区域２１と排水区域２２にはそれぞれ複数の空気室３を設け、かつ空気室３の間には第二経路２６を設ける。水導入区域２１および排水区域２２の液体は、すべてこの第二経路２６より水導入区域２１と排水区域２２の隅々へ均一に流動させる。これにより、パッド体２は水導入区域２１と排水区域２２に導入する液体を均一な温度分布に維持する。
【００１４】
さらに本考案の第１実施例において、図２に示す通り、パッド体２は図示しない熱交換装置に接続し、熱交換装置は利用者の必要とする温度の液体を提供する。液体は、入口ジョイント２１１より水導入区域２１に導入した後、水導入区域２１内部の第二経路２６において矢印に示す通り流動する。第二経路２６同士は導通しているため、液体は水導入区域２１に均一に流動し、液体の温度は水導入区域２１のパッド体２表面へ均一に伝導する。また、液体は第一経路２４より排水区域２２の第二経路２６に流動する。この第二経路２６同士は導通しているため、液体は排水区域２２へ均一に流れ、液体の温度は排水区域２２のパッド体２表面へ均一に伝導する。最後に、液体は出口ジョイント２２１から熱交換装置に戻され、熱交換装置において、熱交換処理が行われる。液体の温度が利用者の必要とする温度に上昇または降下させられた状態で、この液体を入口ジョイント２１１より水導入区域２１に導入し、さらなる熱循環を行う。このように、パッド体２は必要な温度を提供し、その温度を維持する。
【００１５】
さらに、図２および図３に示す通り、パッド体２は表面部材２８と底面部材２９とを含み、表面部材２８と底面部材２９はそれぞれプラスチック部材より仕上げた薄い板である。この薄い板には、少なくとも被覆層４および接合層５が含まれる。本実施例では、被覆層４にはラテックスシートを用いて、接合層にはポリ塩化ビニールを用いる。この接合層５は、熱融合の特性を有するので、高温により軟化させて互いに融合させる。そして、温度低下した後、凝固硬化して一体に結合される。
【００１６】
これにより、高周波加工で表面部材２８と底面部材２９の接合層５を互いに押し付けて融合し、表面部材２８と底面部材２９からパッド体２を形成する。続いて、表面部材２８と表面部材２９との間には、水導入区域２１と排水区域２２を仕切り、第一経路２４、第二経路２６および空気室３を形成する。
以上によると、業者は機械による本考案の冷温パッド自動生産できるため、冷温パッドの生産効率は向上し、生産コストを大幅軽減した量産の目的を実現できる。
【００１７】
さらに、図２と図３に示す通り、利用者がパッド体２に横たわった後、空気室３が支持する働きにより、第一経路２４および第二経路２６が圧迫されることで内周面が液体の流動を妨げることがない。さらに、業者は高周波加工により接合層５を押し付けて融合させるとき、図示しない高周波金型の圧迫によって一部の接合層５の部材が両側に移動させられ、凝固した後、接合箇所の両側に支持部５１をそれぞれ形成することにより、空気室３、第一経路２４、第二経路２６、および接合層５に対応する接合箇所は、それぞれ支持部５１を形成する。この支持部５１により耐圧能力が強化した状態で、液体を第一経路２４および第二経路２６に流動させる。
【００１８】
（その他の実施例）
本考案のその他実施例においては、パッド体２の表面に図案と柄を印刷するなど、冷温パッドの視覚効果を向上するほか、消費者の購入意欲を促すことができる。
また、第１実施例では、被覆層４はラテックスシート、接合層はポリ塩化ビニールとしたが、接合層５の材質は、熱可塑性ウレタンエラストマーであってもよい。また、本考案のその他の実施例において、被覆層４と接合層５の材質は上述した部材に限られない。
【００１９】
本考案の好ましい実施例は以上説明した通りであるが、本考案の権利範囲はこれらに限られない。本考案の技術内容を熟知する者は、本考案の開示により、簡単に想到する構成や効果の変更が可能であり、この変更は本考案の範囲に含まれる。
【図面の簡単な説明】
【００２０】
【図１】従来の冷温パッドを示す図である。
【図２】本考案の冷温パッドを説明する平面図である。
【図３】図２のIII−III切断線による断面図である。
【符号の説明】
【００２１】
２：パッド体、２１：水導入区域、２１１：水導入ジョイント、２２：排水区域、２２１：排水ジョイント、２４：第一経路、２６：第二経路、２８：  表面部材、２９：底面部材、３：空気室、４：被覆層、５：接合層、５１：支持部
【図１】
0003140290.tif 000003
【図２】
0003140290.tif 000004
【図３】
0003140290.tif 000005